(57)【要約】【課題】ウェブサーバによるインターネットコミュニティサービスの提供。【解決手段】本発明は、歌手の歌が収録された音楽ＣＤ内にその歌手を中心にコミュニティサービスを提供するウェブサーバに接続することができるプログラムを内蔵するか、または前記プログラムを別にインターネット上で購入してダウンロードできるようにして、前記音楽ＣＤを購入した使用者、または直接購入してダウンロードした使用者のみに限って前記ウェブサーバに接続することができるようにしてインターネットコミュニティと付加的なマルチメディアコンテンツ情報を使用できるようにすることで、音楽ＣＤの販売量を増加させて、別途の収益を新たにつくるシステム及びその方法である。【選択図】図１
2008293464.tif 000002
【特許請求の範囲】
【請求項１】
インターネットでコミュニティサービスを提供するウェブサーバにおいて、
歌手の音楽が収録されている音楽ＣＤに保存されて認証情報を含むプログラムによって使用者のコンピュータをインターネットに接続させるクライアント接続部と、
前記クライアント接続部に接続された使用者のコンピュータにインストールされた認証情報を確認することで、許可されなかったコンピュータの接続を制限する使用者認証部と、
使用者に提供する情報を保存するデータベースと、
前記クライアント接続部に接続された使用者にコミュニティの形成、維持、管理に必要なデータを共有することができる前記データベースの空間を提供し管理するコミュニティ管理部を含み、
前記ウェブサーバは更に、
前記プログラムにおいて、接続された使用者がコミュニティを形成するコミュニティ管理機能を含み、前記コミュニティ管理部と連動して前記歌手と関連するコミュニティを生成及び管理する機能を含むことを特徴とするインターネット上のコミュニティサービスを提供するウェブサーバ。
【請求項２】
インターネットを通じて前記プログラムをウェブサーバから使用者のコンピュータにダウンロードすることができるプログラムダウンロード部をさらに含むことを特徴とする請求項１記載のインターネット上のコミュニティサービスを提供するウェブサーバ。
【請求項３】
前記歌手と関連するコンテンツ情報を提供する提携業者サーバと連動する提携業者連動部を含み、
前記使用者のコンピュータにインストールされたプログラムは提携業者が提供するサービスを利用する機能を含んで、前記提携業者連動部を通じて提携業者サーバが提供するサービスが利用可能となることを特徴とする請求項１記載のインターネット上のコミュニティサービスを提供するウェブサーバ。
【請求項４】
前記使用者のコンピュータにインストールされた前記プログラムはマルチメディア機器と連動するインターフェース機能を実行し、歌手のマルチメディアコンテンツ情報をマルチメディア機器に送信できることを特徴とする請求項１記載のインターネット上のコミュニティサービスを提供するウェブサーバ。
【請求項５】
インターネット上でコミュニティ情報を提供するウェブサーバに、音楽ＣＤに内蔵されているプログラムがインストールされた使用者のコンピュータが接続される段階(Ｓ１０１)と、
前記プログラムによって、インターネットを通じて前記ウェブサーバと接続された使用者に対し、インターネットコミュニティの情報保存空間を提供する段階(Ｓ１０２)を含み、
前記プログラムを用いて、ウェブサーバと使用者のコンピュータを接続し、マルチメディアコンテンツ情報を使用者のコンピュータで再生することができることを特徴とするインターネット上のコミュニティサービスを提供する方法。
【請求項６】
ウェブサーバが前記プログラムのインストールされた使用者のコンピュータにマルチメディアコンテンツ情報を提供し、前記ウェブサーバから提供されたマルチメディアコンテンツ情報が前記プログラム上で再生される段階(Ｓ１０４)をさらに含むことを特徴とする請求項５記載のインターネット上のコミュニティサービスを提供する方法。
【請求項７】
ウェブサーバが提携業者サーバと連動して提携サービスを提供する段階(Ｓ１０５)をさらに含むことを特徴とする請求項５記載のインターネット上のコミュニティサービスを提供する方法。
【請求項８】
前記プログラムはウェブサーバの提供するインターネットホームページからダウンロードされ使用者のコンピュータにインストールされることを特徴とする請求項５記載のインターネット上のコミュニティサービスを提供する方法。
【発明の詳細な説明】
【技術分野】
【０００１】
本発明は、歌手の歌が収録された音楽ＣＤ内にその歌手を中心にコミュニティサービスを提供するウェブサーバに接続することができるプログラムを内蔵するか、または前記プログラムを別途インターネット上で購入してダウンロードすることにより、前記音楽ＣＤを購入した使用者、または直接購入してダウンロードした使用者のみに限って前記ウェブサーバに接続することができるようにして、インターネットコミュニティと付加的なマルチメディアコンテンツ情報を使用できるように設定することで、音楽ＣＤの販売量を増加させて、別途収益を新たにつくるシステム及びその方法に関する。
【背景技術】
【０００２】
最近の音源の販売市場では、ＣＤアルバムを通じた購入方法及び、バックス（www.bugs.co.kr）やソリバダ（www.soribada.com）などのインターネット音楽サイトを通じたＭＰ３購入方法が大部分を占めていた。
【０００３】
従来、音源は、アナログ方式で販売されてきたが、各種情報のデジタル化が進む昨今の状況にあわせて、オフラインＣＤアルバム購入から、ＭＰ３ファイルやインターネットストリーミングといったデジタル音源の購入形態へと変化している。また、音楽を聞く装置も、既存のＣＤプレーヤー等のアナログ再生装置から、代表的なデジタル音源のＭＰ３ファイルを用いる、ＭＰ３プレーヤー及び、ＰＭＰや携帯電話といった各種機器等へと移り、これら機器は最も普及している。このような機器が普及することによって、音源の購入形態がＣＤからＭＰ３へと急速に変化している。また、これによって、ＣＤアルバム市場は縮小している。ＭＰ３を通じた販売市場は音楽ポータルサイトを通じたプロモーション費用が増加する一方で音源製作者に再投資される費用が相対的に縮小している。その結果、全般的な音源市場の悪化が生じている。また、最近ＭＰ３ファイルなどさまざまな形態の音楽ファイル等がインターネット上に不法複製されて共有されることで、使用者は音楽ＣＤを購入しなくても容易に音源を入手することができるようになっている。このような背景を元に、音楽ＣＤの販売量はさらに減少しているのが実情である。
【発明の開示】
【発明が解決しようとする課題】
【０００４】
本発明は、前記の従来の問題点を解消するために創案されたものである。歌手の歌が収録された音楽ＣＤ内にその歌手を中心にコミュニティサービスを提供するウェブサーバに接続することができるプログラムを内蔵するか、または前記プログラムを別途インターネット上で購入してダウンロードすることにより、前記音楽ＣＤを購入した使用者、または直接購入してダウンロードした使用者のみに限って前記ウェブサーバに接続することができるようにして、インターネットコミュニティと付加的なマルチメディアコンテンツを使用できるように設定することで音楽ＣＤの販売量を増加させて、別途の収益を新たにつくるシステム及びその方法である。
【課題を解決するための手段】
【０００５】
前記目的を達成するため、本発明によるインターネット上のコミュニティサービスを提供するウェブサーバは、インターネットでコミュニティサービスを提供するウェブサーバにおいて、歌手の音楽が収録されている音楽ＣＤ内に、認証情報を含んで保存されたプログラムによって、使用者のコンピュータがインターネットを通じて前記ウェブサーバと接続するクライアント接続部と、前記クライアント接続部に接続された使用者のコンピュータの認証情報を確認することで、許可されなかったコンピュータの接続を制限する使用者認証部と、使用者に提供する情報を保存するデータベースと、前記クライアント接続部に接続された使用者にコミュニティの形成、維持、管理に必要なデータを共有することができる前記データベースの空間を提供して、これを管理するコミュニティ管理部を含み、前記プログラムは接続された使用者がコミュニティを形成するコミュニティ管理機能を含み、前記コミュニティ管理機能は、前記コミュニティ管理部と連動して前記歌手と関連するコミュニティを生成及び管理する機能を含むことを特徴とする。
【０００６】
また、前記ウェブサーバはインターネットを通じて前記プログラムをウェブサーバから使用者のコンピュータでダウンロードできるように設定するプログラムダウンロード部をさらに含むことを特徴とする。
【０００７】
また、前記ウェブサーバは前記歌手と関連するコンテンツ情報を提供する提携業者のサーバと連動する提携業者連動部を含み、前記使用者のコンピュータにインストールされたプログラムは、提携業者が提供するサービスを利用できる機能を含み、使用者は、前記提携業者連動部を通じて提携業者サーバが提供するサービスを利用できることを特徴とする。
【０００８】
また、前記使用者のコンピュータにインストールされた前記プログラムはマルチメディア機器と連動するインターフェース機能を実行して、歌手のマルチメディアコンテンツ情報をマルチメディア機器に送信できることを特徴とする。
【発明の効果】
【０００９】
前記構成を有する本発明による音楽ＣＤを利用したインターネットコミュニティサービスシステム及びその方法は、歌手の歌が収録された音楽ＣＤ内に、インターネットコミュニティに接続して付加的なコンテンツを楽しむことができるように設定するプログラムを内蔵することにより提供される。音楽ＣＤの購入後にも持続的に追加的なサービスを受けることができるようにすることで消費者の満足度を向上させ、従来の音楽ＣＤに比べて使用者の購入意欲を増加させることができる効果がある。また、インターネットコミュニティによって継続的な情報交流をするために、歌手に対する好感度が増し、今後製作する音楽ＣＤの購入意欲を増加させることにおいても優れた効果を期待することができる。
【発明を実施するための最良の形態】
【００１０】
以下図面を参考にして本発明の望ましい実施例を説明する。
図１は、本発明の望ましい実施例を示す構成図である。
本発明のウェブサーバはダウンロード部、使用者認証部、コミュニティ管理部、クライアント接続部、データベース、提携業者連動部、などで構成される。前記ウェブサーバが提供する情報は通常のインターネットブラウザやその他のプログラムでは使用者がアクセスできないようになっている。サービス提供者は前記プログラムを提供し、このプログラムを通じて使用者に情報を提供するように構成することが望ましい。
【００１１】
クライアント接続部は、インターネットを経由して使用者のコンピュータとウェブサーバを接続する役割を担う。使用者のコンピュータが前記クライアント接続部と接続するためには、プログラムが必要である。このプログラムは通常のウェブブラウザやその他のインターネットプログラムではなく、前記ウェブサーバに接続するために別途製作したプログラムである。本発明において、前記プログラムは歌手の音楽が収録されている音楽ＣＤに追加的に保存され、使用者が音楽ＣＤを購入した場合に使用することが望ましい。また、前記プログラムはウェブサーバで購入してダウンロードし、使用することも可能である。
【００１２】
使用者認証部は、前記クライアント接続部に接続を要請する使用者のコンピュータが前記ウェブサーバに接続許可されている使用者であるかどうかをチェックする役割を担う。
【００１３】
前述した前記プログラムは音楽ＣＤに追加的に保存されているか、またはウェブサーバからダウンロードすることで使用することができるが、使用者に対して、前記プログラムを取得する過程で、使用者本人であることを認証する認証装置が付与される。前記認証装置は使用者を識別することが可能であり、通常的に使用される認証装置として、認証キーを使用者に対して提供する。プログラムをインストールする時に認証キーを入力する方法の認証装置を使用することができる。また、ウェブサーバに会員加入をするのと同時に認証キーを入力してウェブサーバ上のデータベースに保存し、以後使用者がログインする際、同時に認証情報を入力し、保存された認証キーと比較する方法などのさまざまな認証装置を使用することができる。
【００１４】
コミュニティ管理部は、本発明のウェブサーバから実際に使用者に情報を提供する役割を担う。前記コミュニティ管理部は、インターネット掲示板の形態を基本にして、接続した使用者のコンピュータと情報を交換する。
【００１５】
コミュニティ管理部で提供する情報は、前記音楽ＣＤを製作した歌手に関する内容であり、歌手に関する多様な形態のマルチメディアコンテンツ情報を提供する。前記マルチメディアコンテンツ情報は音楽や、動画、写真などの形態による前記歌手に関する情報であり、インターネットを通じて送信が可能なデジタルファイル形式で使用者に提供される。例えば、音楽ＣＤに収録されていない新しい音楽、歌手の写真、動画、歌詞などをダウンロードできるようになっており、コミュニティに接続した使用者にこのコンテンツ情報を提供する。ウェブサーバの提供する前記マルチメディアコンテンツ情報は音楽、動画、写真などの形態による情報であり、インターネットを通じて送信が可能なデジタルファイル形式である。使用者に提供するコンテンツ情報は使用者に無料で提供することも可能であり、別途販売することも可能である。
【００１６】
また、前記コミュニティ管理部は使用者間の情報及びデータ共有が可能であるだけでなく、使用者と情報提供者との間の情報交流が可能である。前記コミュニティ管理部を用いることで、使用者に対し、歌手のメッセージを提供することができる。また、歌手の活動状況などを示すスケジュール掲示板、音楽や歌手に関して討論ができる討論の場、または使用者が直接伝えるファンレター送信機能、使用者と歌手のリアルタイムチャット等オンラインを通じた親しみのあるサービスを提供することもできる。この結果、使用者の満足度を高めることが可能となる。
【００１７】
データベースは、前記ウェブサーバのデータを保存する役割を担う。前記データベースには、前記使用者認証部で管理する使用者認証情報と使用者個人情報が保存される。前記データベースには前記コミュニティ部で使用者に提供する各種コンテンツ情報、歌手の情報、そして使用者が互いに共有する情報が保存される。また、ダウンロード部で提供される本発明のプログラムが前記データベースに保存される。前記データベースに保存されているデータは必要時に随時アップデートすることができるように構成されることが望ましい。
【００１８】
提携業者連動部は、ウェブサーバ管理者が前記ウェブサーバで提供する内容と関連するサービスを提供する提携業者と提携し、提携サービスを提供する。前記提携サービスは、携帯電話の着信音とカラーリング（通話を繋ぐ際に流れる待機音に好きな曲を流すサービス）などのサービスを提供する移動通信サービス業者、インターネットホームページを提供して背景音楽(ＢＧＭ)のサービスを提供するホームページ管理業者、及びインターネットでＭＰ３ファイルを販売するインターネット音楽販売サービス業者などによりマルチメディアコンテンツ情報を提供するサービスを指す。例えば、前記音楽ＣＤに収録された音楽を使用する携帯電話の着信音を提供する業者とサービスを提携して、前記プログラムがインストールされた使用者のコンピュータ上で直接携帯電話の着信音を購入することも可能である。また、インターネットホームページを提供する業者とサービスを提携してホームページで使用するＢＧＭ(Background Music)などを直接購入することも可能である。
【００１９】
ダウンロード部は使用者に前記プログラムをインターネット上で別途提供する役割を担う。前記音楽ＣＤを購入せず、前記ウェブサーバによる付加的なコンテンツ情報サービスの提供を受ける人は、前記ウェブサーバでプログラムを購入した場合に限って前記プログラムをダウンロードすることが可能である。ウェブサーバから購入しダウンロードしたプログラムは音楽ＣＤを購入した使用者のプログラムと等しい権限を有することが望ましい。また、前記ダウンロードしたプログラムに対して、音楽ＣＤと同様に固有の認証装置を付与し、購入した本人以外は使用不可能であることが望ましい。
【００２０】
一方、プログラムは基本的に使用者のコンピュータにインストールされ、インターネットを通じて前記ウェブサーバと接続する役割を担う。前記プログラムは使用者のコンピュータにインストールされて一つのインターネットブラウザの役割を果たし、ウェブサーバの提供するさまざまな情報を使用者に伝達する。前記プログラムは基本的に歌手の音楽ＣＤに内蔵されているが、音楽ＣＤを購入せずコミュニティサービスの利用を欲する使用者のためにサービス提供者が前記ウェブサーバで別途前記プログラムを提供してもよい。このプログラムは、ホームページなどを通じて購入し、使用者のコンピュータにダウンロードすることも可能である。
前記プログラムは使用者のコンピュータにインストールされ、ウェブサーバは、動画、音楽、写真、歌詞等のコンテンツを提供する。また、これらコンテンツは、ダウンロードしたプログラムを利用して再生可能であることが望ましい。また、前記ウェブサーバが提供するコミュニティサービスも前記ダウンロードしたプログラムを用いることで利用可能であることが望ましい。
【００２１】
前記プログラムは、内部に前述した各自固有の認証装置を設置する。音楽ＣＤを購入する、またはウェブサーバでダウンロードする等により実際購入した使用者に限って、前記プログラムは、前記ウェブサーバに接続されることが望ましい。
【００２２】
また、前記プログラムは外部機器と連動をするインターフェース機能を実行することにより、多様な装置でマルチメディアコンテンツ情報を使用可能となる。本明細書における外部機器は、ＭＰ３プレーヤー、ＰＭＰ、携帯電話、及びマルチメディアコンテンツ情報を再生することができる各種機器を指す。例えば、音楽ＣＤの内容をＭＰ３で自動エンコードしてＭＰ３プレーヤーに送ったり、携帯電話と連動して携帯電話に送ったり、ミュージックビデオやその他の動画をＰＭＰなどに送ったりする。また、ウェブサーバから送信されたマルチメディアコンテンツ情報を前記各種外部機器に送る役割を担う。
【００２３】
本発明の音楽ＣＤは歌手の歌が収録されていて、通常の再生装置、すなわちＣＤプレーヤーなどで再生が可能な保存媒体の内部に前記プログラムを追加的に保存したＣＤ(Compact Disk)媒体である。また、これに限定するだけでなく、ＤＶＤ(Digital Video Disk)、及びその他のデジタルファイルを保存できる記録媒体にも前記プログラムを追加的に保存することが可能である。前記音楽ＣＤ内部に保存されたプログラムは、使用者のコンピュータにインストールされ、使用される。使用者のコンピュータに設置されたＣＤ-ＲＯＭドライブに前記音楽ＣＤが挿入されると、自動で前記プログラムのインストールが実行されることが望ましい。
【００２４】
図２は使用者のコンピュータにインストールされたプログラムの役割を示す例示図である。前記プログラムは、基本的にマルチメディアプレーヤーの機能を有する。また、前記プログラムは、前記音楽ＣＤ内に保存された音楽を再生する役割を担い、音楽ＣＤの内部に追加的に保存されたミュージックビデオを再生することもできるとともに、前記ウェブサーバでダウンロードした音楽やミュージックビデオを再生する役割を担う。
【００２５】
また、前記プログラムは、ウェブサーバの提供するコミュニティ情報を使用者に表示する役割を担う。プログラム内の画面で主にインターネット掲示板を通じて歌手のメッセージや、告知事項及びスケジュールを掲示し、歌手に直接ファンレターを伝達することができる空間を提供する。さらに、歌手と直接チャットができるチャットルームを提供し、音楽ＣＤを購入した使用者の満足度を一層向上させることができる。
【００２６】
また、前記プログラムを用いて、ウェブサーバの提供するマルチメディアコンテンツ情報をダウンロードできるようにする。音楽ＣＤに入っている歌をウェブサーバからＭＰ３ファイルの形式でダウンロードすることが可能である。また、音楽ＣＤに収録されている歌の楽譜を提供したり、スターの写真をコンピュータの背景画面として作成し、ダウンロードしたりすることが可能である。また、提携業者サーバと連動して携帯電話の背景画面やカラーリング、着信音、またはインターネットホームページの背景音楽（ＢＧＭ）等を購入することが可能である。
【００２７】
また、前記プログラムは、外部機器と連動させることにより、多様な装置でマルチメディアコンテンツを使用することが可能である。音楽ＣＤの内容をＭＰ３で自動エンコードしＭＰ３プレーヤーに送ったり、携帯電話と連動させることで携帯電話に送ったり、ミュージックビデオやその他の動画をＰＭＰなどに送ったりする。これら以外に、その他装置と連動させることでマルチメディアコンテンツ情報を活用することができる装置の範囲にまでプログラムの適用範囲を拡張させることが可能である。
【００２８】
次に、図３ないし図５を用いて本発明の望ましい実行方法を説明する。
図３は本発明の望ましい実施例によるインターネット上のコミュニティサービスを提供する方法のフローチャートである。
歌手の音楽が収録されている音楽ＣＤには、インターネット上でコミュニティ情報を提供するウェブサーバに接続することができるプログラムが内蔵される。前記音楽ＣＤが使用者のコンピュータに設置されたＣＤ−ＲＯＭ (Read Only Memory)ドライブ等のＣＤ媒体を読み込む装置に挿入されると、前記プログラムがインストールされる。インストールされたプログラムによって使用者のコンピュータは、前記ウェブサーバに接続される(段階Ｓ１０１)。前記ウェブサーバは、前記プログラムによってインターネットを通じて接続された使用者にインターネットコミュニティの情報保存空間を提供する(段階Ｓ１０２)。前記コミュニティの情報はインターネット掲示板などを使用して、使用者に提供される歌手のスケジュール及びその歌手の音楽情報等といった歌手の関連情報や、使用者間で共有する歌手の関連情報、または歌手に対する考え及び意見などを指す。また、前記ウェブサーバは、接続された使用者にマルチメディアコンテンツ情報を提供する(段階Ｓ１０３)。前記マルチメディアコンテンツ情報は音楽や、動画、写真などの形態による前記歌手に関する情報であり、インターネットを通じて送信可能なデジタルファイル形式で使用者に提供される。一方、前記プログラムは使用者のコンピュータにインストールされることで、ウェブサーバと使用者のコンピュータを接続し、マルチメディアコンテンツ情報を使用者のコンピュータで再生する。ウェブサーバから提供された前記マルチメディアコンテンツ情報は、前記プログラム上で直接再生される(段階Ｓ１０４)。一方、前記ウェブサーバは提携業者サーバと連動して提携サービスを提供する(段階Ｓ１０５)。前記提携サービスは、前述したように携帯電話の着信音とカラーリングなどのサービスを提供する移動通信サービス業者、インターネットホームページを提供して背景音楽(ＢＧＭ)のサービスを提供するホームページ管理業者、及びインターネットでＭＰ３ファイルを販売するインターネット音楽販売サービス業者などにより、マルチメディアコンテンツ情報を提供するサービスを指す。一方、前記音楽ＣＤを購入せず、本発明のウェブサーバによるサービスの提供を受ける使用者のために、ウェブサーバが提供するホームページ等を通じて使用者に前記プログラムを販売する手続きを追加することができる。それにより、使用者が前記プログラムを購入して使用者のコンピュータでダウンロードし、インストールすることが可能となる。前記過程においてウェブサーバからダウンロードした前記プログラムも音楽ＣＤに保存されている前記プログラムと等しい権利を得るように認証情報を提供することが望ましい。
【００２９】
図４は前記プログラムがインターネットと連動して作動する状態にあるプログラムの実行過程を示す。
使用者よってインターネットを使用するメニューが選択され、実行される(段階Ｓ２０１)。インターネットを使用するメニューが実行されるとウェブサーバは、第1に使用者が音楽ＣＤを購入したか否かを確認するためにログインを勧める画面を前記プログラムに送って使用者認証を実行する(段階Ｓ２０２)。使用者が確認されると前記プログラムはウェブサーバから初期画面情報を受信して、プログラムが動作し、画面上に表示される(段階Ｓ２０３)。プログラムが実際に動作する前に、自動アップデートを設定し、前記プログラムの改善によるバージョン更新を自動化する (段階Ｓ２０４)。
ウェブサーバとプログラムと連動することで提供されるメニューは、リアルタイムチャットモジュールとマルチメディアコンテンツダウンロード、そしてインターネット掲示板、外部業者連動メニューなどで大きく四種類に分けることができる。
先ず、使用者間または使用者と歌手との間でチャット機能を使用できるようにするために使用者によってチャットメニューが呼び出される(段階Ｓ２０５)。チャットメニューを使用するためには、使用者のコンピュータにチャットモジュールが設置されなければならない。先にウェブサーバはチャットモジュールが設置されているかどうかを確認して、使用者のコンピュータに設置されたリアルタイムチャットモジュールのバージョンを確認する(段階Ｓ２０６)。使用者のコンピュータに最新バージョンのリアルタイムチャットモジュールが設置されていない場合、前記ウェブサーバは最新バージョンのリアルタイムチャットモジュールを送って(段階Ｓ２０７)、次の段階へと進行する。使用者のコンピュータに最新バージョンのリアルタイムチャットモジュールが設置されている場合、前記ウェブサーバはチャットサービスを実行する(段階Ｓ２０８)。
一方、使用者のコンピュータが、ウェブサービスの提供するコミュニティと接続するために使用者によってコミュニティ接続メニューが呼び出される(段階Ｓ２０９)。使用者のコンピュータは、前記ウェブサーバの最新のコミュニティ情報を呼び出し、最新のコミュニティ情報を受信する。使用者のコンピュータは受信したコミュニティ情報を使用者の画面に表示する。(段階Ｓ２１０)。
一方、使用者は、新しいマルチメディアコンテンツを受信するためにダウンロードメニューを呼び出す(段階Ｓ２１１)。プログラムはウェブサーバから最新のマルチメディアコンテンツリストを呼び出し、ウェブサーバは最新マルチメディアコンテンツリストを送信する。ウェブサーバから送信された最新メディアコンテンツリストはプログラムによって、使用者の画面に表示される。(段階Ｓ２１２)。使用者が前記マルチメディアコンテンツリストを呼び出すことによってマルチメディアコンテンツがダウンロードされる(段階Ｓ２１３)。
最後に、外部業者によって提供される携帯電話の着信音やカラーリング、またはインターネットホームページ背景音楽サービスなどを使用できるようにするために、使用者は外部業者連動メニューを実行する(段階Ｓ２１４)。ウェブサーバは使用者の呼び出しによって提携業者サーバと接続し(段階Ｓ２１５)、ウェブサーバは実行に必要な画面を受信して使用者に伝達する(段階Ｓ２１６)。この過程で、前記ウェブサーバは提携業者サーバと使用者のコンピュータを接続するだけであって、実際サービスを提供するプロセスは提携業者サーバ内でなされる。
【００３０】
図５はプログラムがインターネットを通じてウェブサーバに接続しない状態で作動する様子を示す。ウェブサーバに接続せずに作動する機能は、外部機器との連動機能と音楽ＣＤのプレーヤー機能である。
【００３１】
図５中のＡ部分は、外部機器と連動するプロセスを示す。先ず、使用者によって外部機器連動メニューが呼び出される(段階Ｓ３０１)。外部機器連動メニューが呼び出されるとプログラムはコンピュータに接続された外部機器があるかどうかをチェックする(段階Ｓ３０２)。接続されている外部機器がない場合、プログラムはエラーメッセージを出力する(段階Ｓ３０３)。接続されている外部機器がある場合、プログラムはその機器で使用するファイル形式の選択メニューを呼び出す。(段階Ｓ３０４)。ファイル形式が選択されると、プログラムは音楽ＣＤが入っているかどうかを確認する。(段階Ｓ３０５)その後、音楽ＣＤが入っている場合、音楽ＣＤ内に収録されている音楽を選択されたファイル形式に変換し各外部機器にこのファイルを送る(段階Ｓ３０６)。音楽ＣＤが入っていない場合、ウェブサーバと接続することができる画面が表示される。(段階Ｓ３０７)そして、ログインを通じて音楽をダウンロードし、次の段階へと進行する(段階Ｓ３０８)。
【００３２】
図５中のＢ部分は、音楽プレーヤーの機能を発揮するためのプロセスを示す。先ず、使用者によって音楽プレーヤーが選択されているとともに、音楽プレーヤーが実行される(段階Ｓ３０９)。実行された音楽プレーヤーは、使用者のコンピュータに音楽ＣＤが入っているかどうかを確認する(段階Ｓ３１０)。音楽ＣＤが入っている場合ＣＤに入っている音楽のリストを表示し(段階Ｓ３１３)、使用者の所望の音楽を再生する(段階Ｓ３１４)。音楽ＣＤが入っていない場合、ウェブサーバと接続することができる画面を表示する(Ｓ３１１)。その後、使用者認証を通じて音楽をダウンロードし音楽を聞くことが可能となる(Ｓ３１２)。
【００３３】
以上で図面を参照して本発明の音楽ＣＤを利用したインターネットコミュニティサービスシステム及びその方法を詳細に説明したが、これは本発明の理解を容易にするために特定の実施例を提示したに過ぎない。また、本発明の範囲を限定するものではない。ここに開示された実施例以外に、本発明の技術的思想に土台を置いた他の変更形態が実施可能であることは、本発明が属する技術分野で通常の知識を有する当業者にとって自明なことである。
【図面の簡単な説明】
【００３４】
【図１】本発明の望ましい実施例によるインターネット上のコミュニティサービスを提供するウェブサーバの構成図である。
【図２】本発明の望ましい実施例によるプログラムの機能を示す例示図である。
【図３】本発明の望ましい実施例によるインターネット上のコミュニティサービスを提供する方法のフローチャートである。
【図４】本発明の望ましい実施例によるプログラムがウェブサーバに接続する場合の実行状態を示すフローチャートである。
【図５】本発明の望ましい実施例によるプログラムがウェブサーバに接続していない場合の実行状態を示すフローチャートである。
【図１】
2008293464.tif 000003
【図２】
2008293464.tif 000004
【図３】
2008293464.tif 000005
【図４】
2008293464.tif 000006
【図５】
2008293464.tif 000007